(57)【要約】【課題】集積回路素子の周囲の温度と、水晶素子の周囲の温度との差異を低減し、発振周波数の変動を低減することが可能な温度補償型水晶発振器を提供する。【解決手段】平面視矩形で、下面の四隅に所定の厚みを有する接合端子１１２が設けられた基板１１０と、上面の四隅に設けられた所定の厚みを有する接合パッド１６１を有し、接合パッド１６１と接合端子１１２とが接合されることで基板１１０の下面に設けられた実装枠体１６０と、基板１１０の上面の電極パッド１１１に実装された水晶素子１２０と、基板１１０の下面の接続パッド１１５に実装された温度センサーを有する集積回路素子１５０と、水晶素子１２０を気密に封止する蓋体１３０と、を備え、基板１１０の下面の実装枠体１６０で囲まれた領域内から、隣り合う二箇所の接合された接合パッド１６１と接合端子１１２との間を通って、基板１１０及び実装枠体１６０の外側面に至る間隙部Ｈを有する。【選択図】図２
2015091128.tif 000002
【特許請求の範囲】
【請求項１】
平面視矩形で、下面の四隅に所定の厚みを有する接合端子が設けられた基板と、
上面の四隅に設けられた所定の厚みを有する接合パッドを有し、前記接合パッドと前記接合端子とが接合されることで前記基板の下面に設けられた実装枠体と、
前記基板の上面に設けられた一対の電極パッドに実装された水晶素子と、
前記基板の下面の前記実装枠体で囲まれた領域内に設けられた複数の接続パッドに実装された温度センサーを有する集積回路素子と、
前記水晶素子を気密に封止する蓋体と、  を備え、
前記基板の下面の前記実装枠体で囲まれた領域内から、隣り合う二箇所の接合された前記接合パッドと前記接合端子との間を通って、前記基板及び前記実装枠体の外側面に至る間隙部を有する  ことを特徴とする温度補償型水晶発振器。
【請求項２】
請求項１記載の温度補償型水晶発振器であって、
前記実装枠体が、ガラスエポキシ樹脂により成っていることを特徴とする温度補償型水晶発振器。
【請求項３】
請求項１又は請求項２記載の温度補償型水晶発振器であって、
前記電極パッドと電気的に接続され、前記基板の上面に設けられた配線パターンと、
前記基板の下面に設けられた測定パッドと、
前記配線パターン及び前記測定パッドと電気的に接続され、基板に設けられたビア導体と、  を備え、
前記ビア導体が、平面視して、前記実装枠体と重なる位置に設けられている  ことを特徴とする温度補償型水晶発振器。
【請求項４】
請求項３記載の温度補償型水晶発振器であって、
前記集積回路素子と前記接続パッドとの間に絶縁性樹脂が設けられていることを特徴とする温度補償型水晶発振器。
【請求項５】
請求項４記載の温度補償型水晶発振器であって、
前記絶縁性樹脂が、前記基板下面の前記ビア導体の下面露出部分を塞ぐようにして設けられていることを特徴とする温度補償型水晶発振器。
【発明の詳細な説明】
【技術分野】
【０００１】
本発明は、電子機器等に用いられる温度補償型水晶発振器に関するものである。
【背景技術】
【０００２】
温度補償型水晶発振器は、水晶素子の圧電効果を利用して、特定の周波数を発生させるものである。例えば、基板と、第一凹部を設けるために基板の上面に設けられた第一枠体と、第二凹部を設けるために基板の下面に設けられた第二枠体とを有しているパッケージと、基板の上面に設けられた電極パッドに実装された水晶素子と、基板の下面に設けられた温度センサーを有する集積回路素子と、を備えた温度補償型水晶発振器が提案されている（例えば、下記特許文献１参照）。
【先行技術文献】
【特許文献】
【０００３】
【特許文献１】特開２０００−４９５６０号公報
【発明の開示】
【発明が解決しようとする課題】
【０００４】
上述した温度補償型水晶発振器は、第一凹部内に水晶素子が実装され、第二凹部内に温度センサーを有する集積回路素子が実装されている。このような温度補償型水晶発振器は、電子機器等の実装基板上に実装されている場合には、実装基板で第二凹部の開口部が塞がれている状態となっている。その状態で、実装基板に実装されている他の電子部品が発熱し、その熱が実装基板を介して第二凹部内に伝わると、熱によって第二凹部内の空気が熱せられることになる。その熱せられた空気が第二凹部内に留まることになるため、温度センサーを有する集積回路素子の周囲の温度が上がってしまうことがあった。それにより、水晶素子の周囲の温度と集積回路素子の周囲の温度とが異なることになり、水晶素子を集積回路素子にて温度補正する際に、温度補償型水晶発振器の発振周波数が変動してしまう虞があった。
【０００５】
本発明は前記課題に鑑みてなされたものであり、集積回路素子の周囲の温度と、水晶素子の周囲の温度との差異を抑えつつ、発振周波数の変動を低減することが可能な温度補償型水晶発振器を提供することを課題とする。
【課題を解決するための手段】
【０００６】
本発明の一つの態様による温度補償型水晶発振器は、平面視矩形で、下面の四隅に所定の厚みを有する接合端子が設けられた基板と、上面の四隅に設けられた所定の厚みを有する接合パッドを有し、前記接合パッドと前記接合端子とが接合されることで前記基板の下面に設けられた実装枠体と、前記基板の上面に設けられた一対の電極パッドに実装された水晶素子と、前記基板の下面の前記実装枠体で囲まれた領域内に設けられた複数の接続パッドに実装された温度センサーを有する集積回路素子と、前記水晶素子を気密に封止する蓋体と、を備え、前記基板の下面の前記実装枠体で囲まれた領域内から、隣り合う二箇所の接合された前記接合パッドと前記接合端子との間を通って、前記基板及び前記実装枠体の外側面に至る間隙部を有することを特徴とする。
【０００７】
又、本発明の他の態様による温度補償型水晶発振器は、前記実装枠体が、ガラスエポキシ樹脂により成っていることを特徴とする。
【０００８】
又、本発明の他の態様による温度補償型水晶発振器は、前記電極パッドと電気的に接続され、前記基板の上面に設けられた配線パターンと、前記基板の下面に設けられた測定パッドと、前記配線パターン及び前記測定パッドと電気的に接続され、基板に設けられたビア導体と、を備え、前記ビア導体が、平面視して、前記実装枠体と重なる位置に設けられていることを特徴とする。
【０００９】
又、本発明の他の態様による温度補償型水晶発振器は、前記集積回路素子と前記基板の下面との間に絶縁性樹脂が設けられていることを特徴とする。
【００１０】
又、本発明の他の態様による温度補償型水晶発振器は、前記絶縁性樹脂が、前記基板下面の前記ビア導体の下面露出部分を塞ぐようにして設けられていることを特徴とする。
【発明の効果】
【００１１】
本発明の一つの態様による温度補償型水晶発振器は、矩形状の基板と、基板の上面に設けられた枠体と、上面の外周縁に沿って設けられた接合パッドを有し、基板の下面の外周縁に沿って設けられた接合端子と接合パッドとが接合されることで、基板の下面に設けられた実装枠体と、実装枠体で囲まれる領域であって基板の下面に設けられた接続パッドに実装された温度センサーを有する集積回路素子と、を備えている。このようにすることで、基板の下面と、実装枠体との上面との間で間隙部が設けられることになるので、例えば、本発明の温度補償型水晶発振器が電子機器等の実装基板に実装されている場合に、その実装基板上に実装された他の電子部品が発熱し、その熱が実装基板を介して第二凹部内に伝わったとしても、その熱によって熱せられた空気が第二凹部内にこもらずに、間隙部を通じて熱せられた空気が外部に出されると共に、外部の空気が間隙部を通じて第二凹部内に入り込むので、第二凹部内に実装された温度センサーを有する集積回路素子に対して熱の影響が緩和することができる。よって、このような温度補償型水晶発振器は、集積回路素子の周囲の温度と、水晶素子の周囲の温度との差異を低減することができるので、水晶素子の周波数温度特性を確実に補正することにより、発振周波数が変動することを低減することできる。
【図面の簡単な説明】
【００１２】
【図１】本実施形態に係る温度補償型水晶発振器を示す分解斜視図である。
【図２】（ａ）は、図１のＡ−Ａ断面図であり、（ｂ）は、図１のＢ−Ｂ断面図である。
【図３】（ａ）は、本実施形態に係る温度補償型水晶発振器を構成するパッケージの上面からみた透視平面図であり、（ｂ）は、本実施形態に係る温度補償型水晶発振器を構成するパッケージの基板の上面からみた透視平面図である。
【図４】（ａ）は、本実施形態に係る温度補償型水晶発振器を構成するパッケージの下面からみた平面透視図であり、（ｂ）は、本実施形態に係る温度補償型水晶発振器を下面からみた平面透視図である。
【図５】（ａ）は、本実施形態に係る温度補償型水晶発振器を構成する実装枠体の上面からみた平面図であり、（ｂ）は、本実施形態に係る温度補償型水晶発振器を構成する実装枠体の下面からみた平面図である。
【図６】（ａ）は、本実施形態の第一変形例に係る温度補償型水晶発振器の集積回路素子付近を示す断面図であり、（ｂ）は、本実施形態の第一変形例に係る温度補償型水晶発振器の実装枠体付近を示す断面図ある。
【発明を実施するための形態】
【００１３】
本実施形態における温度補償型水晶発振器は、図１及び図２に示されているように、基板１１０と、基板１１０の上面に接合された水晶素子１２０と、基板１１０の下面に接合された集積回路素子１５０とを含んでいる。又、基板１１０の下面には実装枠体１６０が備わっており、基板１１０の下面と実装枠体１６０の内側面によって囲まれた第二凹部Ｋ２が形成されている。このような温度補償型水晶発振器は、電子機器等で使用する基準信号を出力するのに用いられる。
【００１４】
基板１１０は、平面視矩形状であり、上面に実装された水晶素子１２０及び下面に実装された集積回路素子１５０を実装するための実装部材として機能するものである。基板１１０は、上面に、水晶素子１２０を実装するための電極パッド１１１が設けられており、下面に、集積回路素子１５０を実装するための接続パッド１１５が設けられている。また、基板１１０の一辺に沿って、水晶素子１２０を接合するための第一電極パッド１１１ａ及び第二電極パッド１１１ｂが設けられている。基板１１０の下面の四隅には、接合端子１１２が設けられている。また、基板１１０の下面の中央には、一対の測定パッド１１９が設けられ、その一対の測定パッド１１９を囲むようにして、集積回路素子１５０を実装するための六つの接続パッド１１５が設けられている。また、接合端子１１２は、接続パッド１１５の内の外側にある四つと電気的に接続されている。
【００１５】
基板１１０は、例えばアルミナセラミックス又はガラス−セラミックス等のセラミック材料である絶縁層からなる。基板１１０は、絶縁層を一層用いたものであっても、絶縁層を複数層積層したものであってもよい。基板１１０の表面及び内部には、上面に設けられた電極パッド１１１と、基板１１０の下面に設けられた測定パッド１１９とを電気的に接続するための配線パターン１１３及びビア導体１１４が設けられている。また、基板１１０の表面には、下面に設けられた接続パッド１１５及び測定パッド１１９と、基板１１０の下面に設けられた接合端子１１２とを電気的に接続するための接続パターン１１６が設けられている。
【００１６】
電極パッド１１１は、水晶素子１２０を実装するためのものである。電極パッド１１１は、基板１１０の上面に一対で設けられており、基板１１０の一辺に沿うように隣接して設けられている。電極パッド１１１は、図３及び図４に示されているように基板１１０の上面に設けられた配線パターン１１３とビア導体１１４を介して、基板１１０の下面に設けられた接合端子１１２と電気的に接続されている。
【００１７】
電極パッド１１１は、図３に示すように、第一電極パッド１１１ａ及び第二電極パッド１１１ｂによって構成されている。ビア導体１１４は、第一ビア導体１１４ａ及び第二ビア導体１１４ｂによって構成されている。また、配線パターン１１３は、第一配線パターン１１３ａ及び第二配線パターン１１３ｂによって構成されている。測定パッド１１９は、第一測定パッド１１９ａ及び第二測定パッド１１９ｂによって構成されている。第一電極パッド１１１ａは、基板１１０に設けられた第一配線パターン１１３ａの一端と電気的に接続されている。また、第一配線パターン１１３ａの他端は、第一ビア導体１１４ａを介して、第一測定パッド１１９ａと電気的に接続されている。よって、第一電極パッド１１１ａは、第一測定パッド１１９ａと電気的に接続されることになる。第二電極パッド１１１ｂは、基板１１０に設けられた第二配線パターン１１３ｂの一端と電気的に接続されている。また、第二配線パターン１１３ｂの他端は、第二ビア導体１１４ｂを介して、第二測定パッド１１９ｂと電気的に接続されている。よって、第二電極パッド１１１ｂは、第二測定パッド１１９ｂと電気的に接続されることになる。
【００１８】
接合端子１１２は、実装枠体１６０の接合パッド１６１と電気的に接合するために用いられている。接合端子１１２は、図４（ｂ）に示すように、基板１１０の下面の四隅に設けられ、第一接合端子１１２ａ、第二接合端子１１２ｂ、第三接合端子１１２ｃ及び第四接合端子１１２ｄによって構成されている。接合端子１１２は、基板１１０の下面に設けられた接続パッド１１５とそれぞれ電気的に接続されている。また、第二接合端子１１２ｂは、グランド用ビア導体１１７を介して、封止用導体パターン１１８と電気的に接続されている。
【００１９】
配線パターン１１３は、基板１１０の上面に設けられ、電極パッド１１１から近傍の基板１１０のビア導体１１４に向けて引き出されている。また、配線パターン１１３は、図３に示すように、第一配線パターン１１３ａ及び第二配線パターン１１３ｂによって構成されている。
【００２０】
ビア導体１１４は、基板１１０の内部に設けられ、その両端は、配線パターン１１３及び測定パッド１１９と電気的に接続されている。ビア導体１１４は、基板１１０に設けられた貫通孔の内部に導体を充填することで設けられている。また、ビア導体１１４は、平面視して、図４に示されているように、実装枠体１６０と重なる位置に設けられている。このようにすることで、本実施形態の温度補償型水晶発振器は、電子機器等の実装基板上の実装パターンと、ビア導体１１４との間で発生する浮遊容量を低減させることで、水晶素子１２０に浮遊容量が付加されないので、水晶素子１２０の発振周波数が変動することを低減することができる。
【００２１】
接続パッド１１５は、集積回路素子１５０を実装するために用いられている。また、接続パッド１１５は、図４に示すように、第一接続パッド１１５ａ、第二接続パッド１１５ｂ、第三接続パッド１１５ｃ、第四接続パッド１１５ｄ、第五接続パッド１１５ｅ及び第六接続パッド１１５ｆによって構成されている。第一接続パッド１１５ａと第一接合端子１１２ａとは、基板１１０の下面に設けられた第一接続パターン１１６ａにより接続されており、第二接続パッド１１５ｂと第二測定パッド１１９ｂとは、基板１１０の下面に設けられた第二接続パターン１１６ｂにより接続されている。第三接続パッド１１５ｃと第四接合端子１１２ｄとは、基板１１０の下面に設けられた第三接続パターン１１６ｃにより接続されており、第四接続パッド１１５ｄと第三接合端子１１２ｃとは、基板１１０の下面に設けられた第四接続パターン１１６ｄにより接続されている。また、第五接続パッド１１５ｅと第一測定パッド１１９ａとは、基板１１０の下面に設けられた第五接続パターン１１６ｅにより接続されており、第六接続パッド１１５ｆと第二接合端子１１２ｂとは、基板１１０の下面に設けられた第六接続パターン１１６ｆにより接続されている。また、接続パターン１１６は、基板１１０の下面に設けられ、接続パッド１１５から近傍の接合端子１１２及び測定パッド１１９に向けて引き出されている。
【００２２】
封止用導体パターン１１８は、蓋体１３０と封止部材１３１を介して接合する際に、封止部材１３１の濡れ性をよくする役割を果たしている。封止用導体パターン１１８は、図３及び図４に示すように、グランド用ビア導体１１７を介して、第二接合端子１１２ｂと電気的に接続されている。封止用導体パターン１１８は、例えばタングステン又はモリブデン等から成る導体パターンの表面にニッケルメッキ及び金メッキを順次、基板１１０の上面の縁部全周に、基板１１０の上面を環状に囲む形態で施すことによって、例えば１０〜２５μｍの厚みに形成されている。
【００２３】
測定パッド１１９は、水晶素子１２０のコンタクトピン等を接触させることによって、水晶素子１２０の特性を測定するためのものである。測定パッド１１９は、第一測定パッド１１９ａ及び第二測定パッド１１９ｂによって構成されている。測定パッド１１９は、基板１１０に設けられた配線パターン１１３及びビア導体１１４を介して、基板１１０の上面に設けられた電極パッド１１１と電気的に接続されている。第一測定パッド１１９ａは、第五接続パターン１１６ｅを介して第五接続パッド１１５ｅと電気的に接続されている。また、第二測定パッド１１９ｂは、第二接続パターン１１６ｂを介して第二接続パッド１１５ｂと電気的に接続されている。測定パッド１１９は、平面視して、集積回路素子１５０と重なる位置に設けられている。このようにすることで、電子機器等の実装基板上の実装パターンと測定パッド１１９との間で発生する浮遊容量を低減させることで、水晶素子１２０に浮遊容量が付加されないので、水晶素子１２０の発振周波数が変動することを低減することができる。
【００２４】
ここで基板１１０を平面視したときの一辺の寸法が、１．０〜２．０ｍｍである場合を例にして、測定パッド１１９の大きさを説明する。測定パッドの長辺の長さは、０．５〜０．８ｍｍとなり、短辺の長さは、０．４５〜０．７５ｍｍとなる。また、水晶素子１２０の測定をする際は、実装枠体１６０を実装する前に行うので、従来の温度補償型水晶発振器と比して、測定パッド１１９の面積を大きくすることできる。測定パッド１１９の面積を大きくすることができるので、コンタクトピンと測定パッド１１９との接触不良を低減することができる。よって、コンタクトピンと測定パッド１１９との接触不良により生じる水晶素子１２０の再測定を抑えることができるので、温度補償型水晶発振器の生産性を向上させることが可能となる。
【００２５】
また、水晶素子１２０の特性を測定する際に使用される電気特性測定器としては、水晶素子１２０の共振周波数、クリスタルインピーダンスの他、インダクタンス、容量等の等価パラメータを測定することができるネットワークアナライザ又はインピーダンスアナライザ等が用いられる。そのコンタクトピンは、銅、銀等の合金の表面に金メッキを施した高導電性のピンと、接触時の衝撃を抑制するばね性をもったリセクタブルソケットとで構成され、これを測定パッド１１９に押し付けつつ接触させることで測定が行われる。
【００２６】
ここで、基板１１０の作製方法について説明する。基板１１０がアルミナセラミックスから成る場合、まず所定のセラミック材料粉末に適当な有機溶剤等を添加・混合して得た複数のセラミックグリーンシートを準備する。また、セラミックグリーンシートの表面或いはセラミックグリーンシートに打ち抜き等を施して予め穿設しておいた貫通孔内に、従来周知のスクリーン印刷等によって所定の導体ペーストを塗布する。さらに、これらのグリーンシートを積層してプレス成形したものを、高温で焼成する。最後に、導体パターンの所定部位、具体的には、電極パッド１１１、接合端子１１２、配線パターン１１３、ビア導体１１４、接続パッド１１５、接続パターン１１６、グランド用ビア導体１１７、封止用導体パターン１１８及び測定パッド１１９となる部位にニッケルメッキ又、金メッキ、銀パラジウム等を施すことにより作製される。また、導体ペーストは、例えばタングステン、モリブデン、銅、銀又は銀パラジウム等の金属粉末の焼結体等から構成されている。
【００２７】
実装枠体１６０は、基板１１０の下面と接合され、基板１１０の下面に第二凹部Ｋ２を形成するためのものである。実装枠体１６０は、例えばガラスエポキシ樹脂等の絶縁性基板からなり、基板１１０の下面と導電性接合材１７０を介して接合される。実装枠体１６０の内部には、上面に設けられた接合パッド１６１と、実装枠体１６０の下面に設けられた外部端子１６２とを電気的に接続するための導体部１６３が設けられている。実装枠体１６０の上面の四隅には、接合パッド１６１が設けられ、下面の四隅には、外部端子１６２が設けられている。また、外部端子１６２は、集積回路素子１５０と電気的に接続されている。
【００２８】
接合パッド１６１は、基板１１０の接合端子１１２と導電性接合材１７０を介して電気的に接合するためのものである。接合パッド１６１は、図５に示すように、第一接合パッド１６１ａ、第二接合パッド１６１ｂ、第三接合パッド１６１ｃ及び第四接合パッド１６１ｄによって構成されている。また、外部端子１６２は、図５に示すように第一外部端子１６２ａ、第二外部端子１６２ｂ、第三外部端子１６２ｃ及び第四外部端子１６２ｄによって構成されている。導体部１６３は、第一導体部１６３ａ、第二導体部１６３ｂ、第三導体部１６３ｃ及び第四導体部１６３ｄによって構成されている。第一接合パッド１６１ａは、第一導体部１６３ａを介して、第一外部端子１６２ａと電気的に接続され、第二接合パッド１６１ｂは、第二導体部１６３ｂを介して、第二外部端子１６２ｂと電気的に接続されている。第三接合パッド１６１ｃは、第三導体部１６３ｃを介して、第三外部端子１６２ｃと電気的に接続され、第四接合パッド１６１ｄは、第四導体部１６３ｄを介して、第四外部端子１６２ｄと電気的に接続されている。
【００２９】
外部端子１６２は、温度補償型水晶発振器を電子機器等の実装基板に実装するためのものである。外部端子１６２は、実装枠体１６０の下面の四隅に設けられている。外部端子１６２は、基板１１０の下面に設けられた六つの接続パッド１１５の四つと電気的に接続されている。また、第二外部端子１６２ｂは、電子機器等の実装基板上の基準電位であるグランド電位と接続されている実装パッドと接続されている。これにより、封止用導体パターン１１８に接合された蓋体１３０がグランド電位となっている第二外部端子１６２ｂに接続される。よって、蓋体１３０による第一凹部Ｋ１内のシールド性が向上する。また、第一外部端子１６２ａは、出力端子として用いられ、第三外部端子１６２ｃは、機能端子として用いられ、第四外部端子１６２ｄは、電源電圧端子として用いられる。機能端子は、書込読込端子及び周波数制御端子として用いられる。ここで、書込読込端子は、温度補償用制御データを記憶素子部に書き込んだり、記憶素子部に書き込まれた温度補償用制御データを読み込んだりするための端子のことである。周波数制御端子は、電圧を印加すると発振回路部の可変容量ダイオードの負荷容量を変動させることによって、水晶素子の温度特性を補正させるための端子のことである。
【００３０】
導体部１６３は、実装枠体１６０の上面の接合パッド１６１と、下面の外部端子１６２を電気的に接続するためのものである。導体部１６３は、実装枠体１６０の四隅に貫通孔を設け、貫通孔の内壁面に導電部材を形成し、その上面を接合パッド１６１で塞ぎ、その下面を外部端子１６２で塞ぐことにより形成されている。
【００３１】
第二凹部Ｋ２の開口部の形状は、平面視して、矩形状となっている。ここで基板１１０を平面視したときの長辺の寸法が、１．２〜２．５ｍｍであり、短辺の寸法が、１．０〜２．０ｍｍである場合を例にして、第二凹部Ｋ２の開口部の大きさを説明する。第二凹部Ｋ２の長辺の長さは、０．８〜１．５ｍｍであり、短辺の長さは、０．５〜１．２ｍｍとなっている。
【００３２】
実装枠体１６０の基板１１０への接合方法について説明する。まず、導電性接合材１７０は、例えばディスペンサ及びスクリーン印刷によって第一接合パッド１６１ａ、第二接合パッド１６１ｂ、第三接合パッド１６１ｃ及び第四接合パッド１６１ｄ上に塗布される。基板１１０は、基板１１０の接合端子１１２が導電性接合材１７０上に位置するようにして搬送され、導電性接合材１７０上に載置される。そして導電性接合材１７０は、加熱硬化させることによって、硬化収縮される。これによって、基板１１０の接合端子１１２は、接合パッド１６１に接合される。つまり、基板１１０の第一接合端子１１２ａは、第一接合パッド１６１ａと接合され、基板１１０の第二接合端子１１２ｂは、第二接合パッド１６１ｂと接合される。また、基板１１０の第三接合端子１１２ｃは、第三接合パッド１６１ｃと接合され、基板１１０の第四接合端子１１２ｄは、第四接合パッド１６１ｄと接合されることになる。
【００３３】
また、基板１１０の接合端子１１２と実装枠体１６０の接合パッド１６１とを導電性接合材１７０を介して接合されることで、図２（ｂ）に示すように、基板１１０と実装枠体１６０との間に、導電性接合部材１７０の厚みと接合端子１１２の厚みと接合パッド１６１の厚みとを足した分の間隙部Ｈが設けられる。これにより、例えば、本実施形態の温度補償型水晶発振器が電子機器等の実装基板に実装されている場合に、この実装基板に実装されている他のパワーアンプ等の電子部品が発熱し、その熱が実装基板を介して第二凹部Ｋ２内に伝わったとしても、その熱によって熱せられた空気が第二凹部Ｋ２内にこもらずに、間隙部Ｈを通じて熱せられた空気が温度補償型水晶発振器の外部に出されると共に、外部の空気が間隙部Ｈを通じて第二凹部Ｋ２内に入り込むので、第二凹部Ｋ２内に温度センサーを有する集積回路素子１５０に対して熱の影響が緩和することができる。よって、集積回路素子１５０の周囲の温度と、水晶素子１２０の周囲の温度との差異を低減することができるので、水晶素子１２０の周波数温度特性を確実に補正することにより、発振周波数が変動することを低減することできる。
【００３４】
ここで、実装枠体１６０の作製方法について説明する。実装枠体１６０がガラスエポキシ樹脂である場合は、ガラス繊維から成る基材にエポキシ樹脂の前駆体を含浸させ、このエポキシ樹脂前駆体を所定の温度で熱硬化させることによって製作される。また、導体パターンの所定部位、具体的には、接合パッド１６１及び外部端子１６２は、例えば、ガラスエポキシ樹脂から成る樹脂シート上に、所定の形状に加工した銅箔を転写し、銅箔が転写された樹脂シートを積層して接着剤で接着することによって形成する。また、導体部１６３は、導体ペーストの印刷またはめっき法によって樹脂シートに形成した貫通孔の内面に被着形成するか、貫通孔を充填して形成する。このような導体部１６３は、例えば金属箔または金属柱を樹脂成形によって一体化させたり、スパッタリング法，蒸着法等を用いて被着させたりすることで形成される。
【００３５】
水晶素子１２０は、図１及び図２に示されているように、導電性接着剤１４０を介して電極パッド１１１上に接合されている。水晶素子１２０は、安定した機械振動と圧電効果により、電子装置等の基準信号を発振する役割を果たしている。
【００３６】
また、水晶素子１２０は、図１及び図２に示されているように、水晶素板１２１の上面及び下面のそれぞれに励振用電極１２２及び引き出し電極１２３を被着させた構造を有している。励振用電極１２２は、水晶素板１２１の上面及び下面のそれぞれに金属を所定のパターンで被着・形成したものである。励振用電極１２２は、上面に第一励振用電極１２２ａと、下面に第二励振用電極１２２ｂを備えている。引き出し電極１２３は、励振用電極１２２から水晶素板１２１の一辺に向かってそれぞれ延出されている。引き出し電極１２３は、上面に第一引き出し電極１２３ａと、下面に第二引き出し電極１２３ｂとを備えている。第一引き出し電極１２３ａは、第一励振用電極１２２ａから引き出されており、水晶素板１２１の一辺に向かって延出するように設けられている。第二引き出し電極１２３ｂは、第二励振用電極１２２ｂから引き出されており、水晶素板１２１の一辺に向かって延出するように設けられている。つまり、引き出し電極１２３は、水晶素板１２１の長辺又は短辺に沿った形状で設けられている。また、本実施形態においては、第一電極パッド１１１ａ及び第二電極パッド１１１ｂと接続されている水晶素子１２０の一端を基板１１０の上面と接続した固定端とし、他端を基板１１０の上面と間を空けた自由端とした片持ち支持構造にて水晶素子１２０が基板１１０上に固定されている。
【００３７】
ここで、水晶素子１２０の動作について説明する。水晶素子１２０は、外部からの交番電圧が引き出し電極１２３から励振用電極１２２を介して水晶素板１２１に印加されると、水晶素板１２１が所定の振動モード及び周波数で励振を起こすようになっている。
【００３８】
ここで、水晶素子１２０の作製方法について説明する。まず、水晶素子１２０は、人工水晶体から所定のカットアングルで切断し、水晶素板１２１の外周の厚みを薄くし、水晶素板１２１の外周部と比べて水晶素板１２１の中央部が厚くなるように設けるベベル加工を行う。そして、水晶素子１２０は、水晶素板１２１の両主面にフォトリソグラフィー技術、蒸着技術又はスパッタリング技術によって、金属膜を被着させることにより、励振用電極１２２、引き出し電極１２３を形成することにより作製される。
【００３９】
水晶素子１２０の基板１１０への接合方法について説明する。まず、導電性接着剤１４０は、例えばディスペンサによって第一電極パッド１１１ａ及び第二電極パッド１１１ｂ上に塗布される。水晶素子１２０は、導電性接着剤１４０上に搬送され、導電性接着剤１４０上に載置される。そして導電性接着剤１４０は、加熱硬化させることによって、硬化収縮される。水晶素子１２０は、電極パッド１１１に接合される。つまり、水晶素子１２０の第一引き出し電極１２３ａは、第二電極パッド１１１ｂと接合され、第二引き出し電極１２３ｂは、第一電極パッド１１１ａと接合される。これによって、第一接合端子１１２ａと第三接合端子１１２ｃが水晶素子１２０と電気的に接続されることになる。また、第一接合端子１１２ａ及び第三接合端子１１２ｃは、第一接合パッド１６１ａ及び第三接合パッド１６１ｃと導電性接合材１７０を介して接合されることで、第一外部端子１６２ａ及び第三外部端子１６２ｃと電気的に接続されることになる。つまり、第一外部端子１６２ａ及び第三外部端子１６２ｃは、水晶素子１２０と電気的に接続されることになる。
【００４０】
また、水晶素子１２０は、水晶素子１２０の自由端と対向する位置に第一配線パターン１１３ａ又は第一ビア導体１１４ａが配置されているように実装されている。このようにすることによって、水晶素子１２０の引き出し電極１２３と、電極パッド１１１とが接合している箇所を軸として傾いても、水晶素子１２０の自由端が第一配線パターン１１３ａ又は第一ビア導体１１４ａに接触するので、基板１１０の上面に水晶素子１２０の自由端が接触することを抑制することできる。仮に、水晶素子１２０の自由端が基板１１０に接触した状態で、落下試験を行うと、水晶素子１２０の自由端が欠けてしまう虞がある。このようにすることで、水晶素子１２０の自由端側が欠けてしまうことを抑えつつ、水晶素子１２０の発振周波数が変動することを低減することができる。
【００４１】
導電性接着剤１４０は、シリコーン樹脂等のバインダーの中に導電フィラーとして導電性粉末が含有されているものであり、導電性粉末としては、アルミニウム、モリブデン、タングステン、白金、パラジウム、銀、チタン、ニッケル又はニッケル鉄のうちのいずれか、或いはこれらの組み合わせを含むものが用いられている。また、バインダーとしては、例えばシリコーン樹脂、エポキシ樹脂、ポリイミド樹脂又はビスマレイミド樹脂が用いられる。
【００４２】
集積回路素子１５０は、例えば、複数個の接続パッドを有した矩形状のフリップチップ型集積回路素子が用いられ、その回路形成面（上面）には、周囲の温度状態を検知する温度センサー、水晶素子１２０の温度特性を補償する温度補償データを格納するための記憶素子部、温度補償データに基づいて水晶素子１２０の振動特性を温度変化に応じて補正する温度補償回路部、その温度補償回路部に接続されて所定の発振出力を生成する発振回路部が設けられている。この発振回路部で生成された出力信号は、実装枠体１６０の第一外部端子１６２ａを介して温度補償型水晶発振器の外へ出力され、例えば、クロック信号等の基準信号として利用される。
【００４３】
記憶素子部は、ＰＲＯＭやＥＥＰＲＯＭにより構成されている。温度補償関数である下記に示す三次関数のもととなるパラメータ、例えば三次成分調整値α、一次成分調整値β、０次成分調整値γの各値の温度補償用制御データが第三外部端子１６２ｃである書込読込端子から入力され保存される。記憶素子部には、レジスタマップが記憶されている。レジスタマップとは、各アドレスデータに制御データを入力した場合、制御部がそのデータを読み取り、信号を出力し、どのような動作を行なうかを示したものである。
【００４４】
温度補償回路部は、三次関数発生回路や五次関数発生回路等によって構成されている。例えば、三次関数発生回路の場合は、その記憶素子部に入力された温度補償用制御データを読出して、温度補償用制御データから各温度に対して三次関数で導き出された電圧を発生させる。尚、この時の外部の周囲温度は、集積回路素子１５０内の温度センサーより得られる。温度補償回路部は、可変容量ダイオードのカソードと接続されており、温度補償回路部からの電圧が印加される。このように、可変容量ダイオードに温度補償回路部からの電圧を印加することよって、水晶素子１２０の周波数温度特性を補正することにより、周波数温度特性が平坦化される。
【００４５】
集積回路素子１５０は、図２に示すように、基板１１０の下面に設けられた接続パッド１１５に半田等の導電性接合材１７０を介して実装されている。また、集積回路素子１５０の接続端子１５１は、接続パッド１１５に接続されている。接続パッド１１５は、接続パターン１１６を介して接合端子１１２と電気的に接続されている。接合端子１１２は、導電性接合材１７０を介して、接合パッド１６１と電気的に接続されている。接合パッド１６１は、導体部１６３を介して外部端子１６２と電気的に接続されている。よって、接続パッド１１５は、接合端子１１２を介して、外部端子１６２と電気的に接続されている。この第二外部端子１６２ｂは、電子機器等の実装基板上の基準電位であるグランドと接続されている実装パッドと接続されることにより、グランド端子の役割を果たす。よって、集積回路素子１５０の接続端子１５１の内の一つは、基準電位であるグランドに接続されることになる。
【００４６】
また、集積回路素子１５０内に設けられた温度センサーは、平面視で測定パッド１１９内に位置させるようにして設けられている。このようにすることによって、水晶素子１２０から伝わる熱が、電極パッド１１１から配線パターン１１３及びビア導体１１４を介して、測定パッド１１９に伝わった熱が、測定パッド１１９から放熱され、集積回路素子１５０内に設けられた温度センサーに伝わることになる。よって、温度補償型水晶発振器は、熱伝導経路を短くすることができるので、水晶素子１２０の温度と集積回路素子１５０の温度とが近似することになり、集積回路素子１５０の温度センサーが得た温度と、実際の水晶素子１２０の周囲の温度との差異をさらに低減することが可能となる。
【００４７】
集積回路素子１５０の基板１１０への接合方法について説明する。まず、導電性接合材１７０は、例えばディスペンサによって接続パッド１１５に塗布される。集積回路素子１５０は、導電性接合材１７０上に載置される。そして導電性接合材１７０は、加熱させることによって溶融接合される。よって、集積回路素子１５０は、接続パッド１１５に接合される。
【００４８】
また、集積回路素子１５０は、図１及び図２に示すように、平面視矩形状であり、その下面に六つの接続端子１５１が設けられている。接続端子１５１は、一辺に沿って三つ設けられており、その一辺と向かい合う一辺に沿って三つ設けられている。集積回路素子１５０の長辺の長さは、０．５〜１．２ｍｍであり、短辺の長さは、０．３〜１．０ｍｍとなっている。集積回路素子１５０の厚み方向の長さは、０．１〜０．３ｍｍとなっている。
【００４９】
導電性接合材１７０は、例えば、銀ペースト又は鉛フリー半田により構成されている。また、導電性接合材には、塗布し易い粘度に調整するための添加した溶剤が含有されている。鉛フリー半田の成分比率は、錫が９５〜９７．５％、銀が２〜４％、銅が０．５〜１．０％のものが使用されている。
【００５０】
蓋体１３０は、例えば、鉄、ニッケル又はコバルトの少なくともいずれかを含む合金からなる。蓋体１３０の外形形状は、第一凹部Ｋ１を備えた箱状部材を逆さまにした形状で、基板１１０に形成される封止用導体パターン１１８との接触部分がＬ字状のフランジとなっている。蓋体１３０は、基板１１０の外周内側に形成された封止用導体パターン１１８の帯状領域にフランジ部を接触させると共に、第一凹部Ｋ１内に水晶素子１２０が収納されるようにして基板１１０の上面に載置される。このような蓋体１３０は、真空状態にある第一凹部Ｋ１又は窒素ガスなどが充填された第一凹部Ｋ１を気密的に封止するためのものである。具体的には、蓋体１３０は、所定雰囲気で、基板１１０の上面に載置され、基板１１０の封止用導体パターン１１８と蓋体１３０のフランジ部分に設けられた封止部材１３１とが溶接されるように所定電流を印加してシーム溶接を行うことにより、基板１１０に接合される。また、蓋体１３０は、封止用導体パターン１１８及びグランド用ビア導体１１７を介して基板１１０の下面の第二接合端子１１２ｂに電気的に接続されている。第二接合端子１１２ｂは、導電性接合材１８０を介して第二接合パッド１６１ｂと電気的に接続されている。第二接合パッド１６１ｂは、第二導体部１６３ｂを介して第二外部端子１６２ｂと電気的に接続されている。よって、蓋体１３０は、実装枠体１６０の第二外部端子１６２ｂと電気的に接続されている。
【００５１】
封止部材１３１は、基板１１０の上面に設けられた封止用導体パターン１１８に相対する蓋体１３０のフランジ部分に設けられている。封止部材１３１は、例えば、銀ロウ又は金錫によって設けられている。銀ロウの場合は、その厚みは、１０〜２０μｍである。例えば、成分比率は、銀が７２〜８５％、銅が１５〜２８％のものが使用されている。金錫の場合は、その厚みは、１０〜４０μｍである。例えば、成分比率が、金が７８〜８２％、錫が１８〜２２％のものが使用されている。
【００５２】
本発明の実施形態における温度補償型水晶発振器は、平面視矩形状の基板１１０と、上面の外周縁に沿って設けられた接合パッド１６１を有し、基板１１０の下面の外周縁に沿って設けられた接合端子１１２と接合パッド１６１とが接合されることで、基板１１０の下面に設けられた実装枠体１６０と、を備えている。このようにすることで、基板１１０の下面と、実装枠体１６０との上面との間で間隙部Ｈが設けられることになるので、例えば、本発明の温度補償型水晶発振器が電子機器等の実装基板に実装されている場合に、その実装基板上に実装された他の電子部品が発熱し、その熱が実装基板を介して第二凹部Ｋ２内に伝わったとしても、その熱によって熱せられた空気が第二凹部Ｋ２内にこもらずに、間隙部Ｈを通じて熱せられた空気が外部に出されると共に、外部の空気が間隙部Ｈを通じて第二凹部Ｋ２内に入り込むので、第二凹部Ｋ２内に実装された温度センサーを有する集積回路素子１５０に対して熱の影響が緩和することができる。よって、このような温度補償型水晶発振器は、温度センサーによって測定された温度と、実際の水晶素子１２０の周囲の温度との差異を低減することができるので、水晶素子１２０の周波数温度特性を確実に補正することにより、発振周波数が変動することを低減することできる。
【００５３】
また、本発明の実施形態における温度補償型水晶発振器は、ビア導体１１４が、平面視において、実装枠体１６０と重なる位置に設けられている。このようにすることで、電子機器等の実装基板上の実装パターンと、ビア導体１１４との間で発生する浮遊容量を低減させることで、水晶素子１２０に浮遊容量が付加されないので、水晶素子１２０の発振周波数が変動することを低減することができる。また、本発明の実施形態における温度補償型水晶発振器は、測定パッド１１９が、平面視して、集積回路素子１５０と重なる位置に設けられている。このようにすることで、電子機器等の実装基板上の実装パターンと測定パッド１１９との間で発生する浮遊容量を低減させることで、水晶素子１２０に浮遊容量が付加されないので、水晶素子１２０の発振周波数が変動することをさらに低減することができる。
【００５４】
（第一変形例）
以下、本実施形態の第一変形例における温度補償型水晶発振器について説明する。なお、本実施形態の第一変形例における温度補償型水晶発振器のうち、上述した温度補償型水晶発振器と同様な部分については、同一の符号を付して適宜説明を省略する。本実施形態の第一変形例における温度補償型水晶発振器は、図６に示されているように、基板１１０の下面と実装枠体１６０との上面との間で設けられた四つの間隙部Ｈのうち、ビア導体１１４の下面露出部分がある二つの間隙部Ｈ、及び集積回路素子１５０と基板１１０の下面の間に絶縁性樹脂１８０が設けられている点において、本実施形態と異なる。
【００５５】
絶縁性樹脂１８０は、図６（ａ）に示されているように、集積回路素子１５０の接続端子１５１が設けられている面と基板１１０の下面との間に設けられている。このようにすることにより、絶縁性樹脂１８０は、集積回路素子１５０と基板１１０の下面との接着強度を高めることができる。また、仮に、温度補償型水晶発振器を電子機器等の実装基板の実装パッド上に実装させた際に、半田等の異物が第二凹部Ｋ２内に入り込んだとしても、絶縁性樹脂１８０によって、その異物が集積回路素子１５０の接続端子１５１間に付着することを抑えることになるので、集積回路素子１５０の接続端子１５１間の短絡を低減することができる。また、絶縁性樹脂１８０は、エポキシ樹脂やエポキシ樹脂を主成分とするコンポジットレジン等の樹脂材料からなる。
【００５６】
また、絶縁性樹脂１８０は、測定パッド１１９を覆うように設けられていても良い。このようにすることによって、測定パッド１１９に異物が付着することを抑えることになるので、水晶素子１２０にその異物の付加抵抗が加わることを抑制することができる。従って、水晶素子１２０の発振周波数が変動することを低減することが可能となる。
【００５７】
絶縁性樹脂１８０は、図６（ｂ）に示されているように、基板１１０の下面と、実装枠体１６０との上面との間で設けられた四つの間隙部Ｈのうち、ビア導体１１４の下面露出部分がある二つの間隙部Ｈの中にまで設けられていても良い。このようにすることにより、絶縁性樹脂１８０は、基板１１０の下面と実装枠体１６０の上面との接合強度を向上させることができる。また、絶縁性樹脂１８０は、基板１１０の下面のビア導体１１４の下面露出部分を塞いでおり、絶縁性樹脂１８０にてビア導体１１４の下面の外周縁を基板１１０に固定することになる。このようにすることで、仮に、基板１１０の反り等が生じても、絶縁性樹脂１８０にてビア導体１１４が固定されているため、ビア導体１１４の外周縁と基板１１０との界面からビア導体１１４が剥がれてしまうことを低減することができる。また、ビア導体１１４の外周縁と基板１１０との界面からビア導体１１４が剥がれてしまうことを低減することで、ビア導体１１４と基板１１０との界面に隙間が生じることがなく、基板１１０の気密性を向上させることができる。尚、絶縁性樹脂１８０によりビア導体１１４の下面露出部分がある二つの間隙部Ｈが塞がれたとしても、実装枠体１６０との上面との間で設けられた四つの間隙部Ｈのうちの残りの二つの間隙部Ｈがあるので、本発明の効果を奏することは可能である。
【００５８】
絶縁性樹脂１８０の形成方法について説明する。絶縁性樹脂が充填された樹脂ディスペンサの先端を、第二凹部Ｋ２の隙間に挿入し、絶縁性樹脂１８０の注入を行なう。次に、注入された絶縁性樹脂１８０を加熱し硬化させる。よって、絶縁性樹脂１８０は、基板１１０の下面と、実装枠体１６０との上面との間で設けられた間隙部Ｈのうち、ビア導体１１４の下面露出部分がある二つの間隙部Ｈ、及び集積回路素子１５０と基板１１０の下面との間に設けられる。
【００５９】
尚、本実施形態に限定されるものではなく、本発明の要旨を逸脱しない範囲において種々の変更、改良等が可能である。上記実施形態では、水晶素子は、ＡＴ用水晶素子を用いた場合を説明したが、基部と、基部の側面より同一の方向に延びる二本の平板形状の振動腕部とを有する音叉型屈曲水晶素子を用いても構わない。
【００６０】
また、水晶素子１２０のベベル加工方法について説明する。所定の粒度のメディアと砥粒とを備えた研磨材と、所定の大きさに形成された水晶素板１２１とを用意する。円筒体に用意した研磨材と水晶素板１２１とを入れ、円筒体の開口した端部をカバーで塞ぐ。研磨材と水晶素板１２１とを入れた円筒体を、円筒体の中心軸線を回転軸として回転させる水晶素板１２１が研磨材で研磨されてベベル加工が行われる。
【００６１】
また、上記実施形態では、導体部１６３が基板内に設けられた場合を説明したが、実装枠体１６０の角部に設けられた切れ込みの内部に設けられていても構わない。この際に、導電部は、切り込み内に導体ペーストを印刷するようにして設けられている。
【符号の説明】
【００６２】
１１０・・・基板
１１１・・・電極パッド
１１２・・・接合端子
１１３・・・配線パターン
１１４・・・ビア導体
１１５・・・接続パッド
１１６・・・接続パターン
１１７・・・グランド用ビア導体
１１８・・・封止用導体パターン
１１９・・・測定パッド
１２０・・・水晶素子
１２１・・・水晶素板
１２２・・・励振用電極
１２３・・・引き出し電極
１３０・・・蓋体
１３１・・・封止部材
１４０・・・導電性接着剤
１５０・・・集積回路素子
１５１・・・接続端子
１６０・・・実装枠体
１６１・・・接合パッド
１６２・・・外部端子
１６３・・・導体部
１７０・・・導電性接合材
１８０・・・絶縁性樹脂
Ｋ１・・・第一凹部
Ｋ２・・・第二凹部
Ｈ・・・間隙部
【図１】
2015091128.tif 000003
【図２】
2015091128.tif 000004
【図３】
2015091128.tif 000005
【図４】
2015091128.tif 000006
【図５】
2015091128.tif 000007
【図６】
2015091128.tif 000008